(57)【要約】【課題】スキャン／コピー操作を自動的に行うためにコピー／スキャンのガラスに対する書類の動きを自動的に検出させるスキャン装置を提供する。【解決手段】スキャン装置であって、コピーされるページを受けるスキャン面（１２）と、当該スキャン面（１２）上の動作を検知し、当該スキャン面（１２）上の動作の停止の検知に反応してトリガー信号を発生する動作検知器（２０）と、当該トリガー信号に反応して当該スキャン面（１２）上のページのイメージを取込む取込回路（３０）と、を備えることを特徴とする。【選択図】図１
2007013972.tif 000002
【特許請求の範囲】
【請求項１】
イメージを生成する方法であって、
イメージされる領域の動作をモニターし、
当該領域における動作の停止のモニターに反応して、当該領域のイメージの取込をトリガーすることを特徴とするイメージ生成方法。
【請求項２】
請求項１に記載の方法であって、当該イメージの取込は、
当該モニター領域を横断するスキャンバーが動き、
当該スキャンバーの動きにより、当該領域部分の電子画像を生成し、
当該スキャンバーの当該領域での横断に対して、動作のモニターを継続し、
モニターした動作に反応して、（i）当該スキャンバーの動き終了させ、当該スキャン
バーを休止位置に戻し、そして（ii）当該貯蔵された電子イメージ画像を消去することを
特徴とするイメージ生成方法。
【請求項３】
スキャン装置であって、
コピーされるページを受けるスキャン面（１２）と、
当該スキャン面上の動作を検知し、当該スキャン面上の動作の停止の検知に反応してトリガー信号を発生する動作検知器（２０）と、
当該トリガー信号に反応して当該スキャン面上のページのイメージを取込む取込回路（３０）と、を備えることを特徴とするスキャン装置。
【請求項４】
請求項３に記載の装置であって、さらに、
当該コピー面上のページの部分を電子画像に変換するスキャンバー（１４）と、
当該スキャンバーを、当該スキャン面の少なくとも一部分を横断して駆動させ、当該トリガー信号の生成に伴い、当該スキャンバーを、当該スキャン面を横断して駆動させる駆動装置（１６）と、
当該駆動装置が当該スキャンバー（１４）に当該スキャン面を横断させるのに対して、当該スキャン面（１２）のモニターを継続し、当該動作検知器（２０）が当該スキャン面上の動作を検知するのに反応し、当該駆動装置（１６）に対して当該スキャンバー動きを停止させる信号を発生し、当該イメージ取込回路（３０）に対してイメージの取り込みを終了させる動作検知器（２０）と、を備えることを特徴とする装置。
【発明の詳細な説明】
【技術分野】
【０００１】
本発明は、複写技術に関連し、特に、複写機及びゼログラフィ機器に関連した特定の出願に関し、それらに対し、特定の参照をして記述される。
【背景技術】
【０００２】
単一のコピーモードで複写機を操作するとき、操作者は、一般的に、本の開いたページ又は書類のシートをコピーガラスに置き、それを操作者にとって満足のいくような所に位置取りする。閉じられた書類から、ある記事が記載されたページをコピーするとき、操作者は、通常、コピーの処理中、一方の手でバインダをガラスに押さえつける。もし、操作者が最初にコピーまたはスタートボタンに近い方の手でバインダを押さえつけると、スタートボタンを押すことは厄介なことになる。操作者は、ガラスに向かってバインダをつかむ手でスイッチを入れることになるため、コピー処理を始めるために、他方の手を伸ばしたり、肘でボタンを押したり、或いは他の厄介な、または時間のかかる動作を行う。ある記事の複数のページをコピーするときには、操作者は、書類を位置取りし、スタート又はコピーボタンを押す操作を毎回のコピーで繰り返す。
【０００３】
この反復する操作は、労働集約的になる傾向があり、時として気が進まないものである。時にはコピー処理中に書類がずれてしまい、ぼやけた又は欠陥のあるコピーとなる。典型的には、書類がずれた後、書類が元の位置に戻され再度コピーできるようになる前に、コピー処理は完了されなければならない、紙、トナー及び時間の無駄となる。
【０００４】
【特許文献１】特開平２−１４０６０３号公報
【発明の開示】
【発明が解決しようとする課題】
【０００５】
本出願は、上述した問題、及びその他の問題を解決するものである。
【課題を解決するための手段】
【０００６】
本発明は、スキャン／コピー操作を自動的に行うためにコピー／スキャンのガラスに対する書類の動きを自動的に検出させることを提案するものである。操作者は、この機器と簡単な方法により対話するという、この検知手段を活用することができる。紙の文書が静止状態から動いたときは、スキャン処理を開始する指示と解釈され；スキャン処理中の文書の動きは、スキャン処理を停止し再スタートする指示と解釈される。このアプローチの有利な点は、操作者は、それ以上スタートボタンを押す必要がなく、（紙を動かすという）自然で単純な意思表示により、コピー機に対して間接的に指示したことになり、明確な暗黙の（指示）内容を有することになる。
【０００７】
一つの側面では、イメージを発生する方法が提供されることである。イメージされる領域の動作がモニターされる。その領域での動きの停止のモニターに反応し、その領域のイメージの取り込みのトリガー（きっかけ）となる。
【０００８】
他の側面では、スキャナが提供されることである。スキャナは、スキャンされるページを受けるスキャン面を含む。動作検知器は、スキャン面の動作を検知し、スキャン面の動きの停止のモニターに反応し、トリガー信号を発生させる。回路は、そのトリガー信号に反応してスキャン面のページのイメージを取込む。
【発明の効果】
【０００９】
一つの有利な点は、操作者に対して、複数ページのコピーのそれぞれに対してスタート又はスキャンボタンを押す作業から開放することである。
【００１０】
他の有利な点は、複数のページのコピーを能率よく行うことである。
【００１１】
他の有利な点は、スキャン処理中にページが動き、ぼやけた或いは欠陥のあるコピーを除くことである。
【００１２】
他の有利な点は、操作者は、「ページが動いた」という単純な意思表示につき、どんな理由であっても、処理中のスキャンを停止することが可能となることである。
【発明を実施するための最良の形態】
【００１３】
図面は、例示的な実施例を図示する目的で用いるものであり、これに限定されない。
【００１４】
図１は、スキャンシステムの概略説明図である。
【００１５】
図２は、図１のシステム用いられる、例示的な動作検知システムの概略説明図である。
【００１６】
スキャナ１０は、コピーされる材料が置かれるガラス又は透明なスキャン面１２を含む。イメージを取り込むために、スキャンバー１４が、駆動装置１６によりスキャン面１２の裏面に沿って移動させられる。典型的には、スキャンバー１４は、光源と、駆動装置１６がスキャンバーをスキャンされるページを一様に横断するように動かすのに従い、スキャンされる物の線や帯をスキャンする一列の写真検知器と、を有する。
【００１７】
動作検知システム２０は、スキャンされるページが、どこで及びいつ静止しているか或いは動いているかを判断するために、スキャン面１２をモニターする。図示された実施形態をさらに特定するために、デジタルカメラ２２は、下方からコピー面を鳥瞰し、一定時間ごとにスキャンされたページのデジタル写真を撮る。一定時間ごとにとは、例えば、ビデオカメラに共通の３０フレーム／分、又は１／１０秒又は１秒といったより長い時間間隔である。イネーブルボタン又は他の装置２４によりイネーブルされると、動作検知回路２６はデジタルカメラ２２からデジタルイメージの流れ（Ｓｔｒｅａｍ）を受信し、コピー面のページが動いたか、静止しているかを判断する。
【００１８】
動作検知回路は、スキャンされたページが、予め選択された時間間隔、すなわち１秒間、静止状態を保っていると判断したときは、イメージ取り込み処理を始めるトリガー信号を送る。より具体的には、トリガー信号は、駆動装置１６にスキャン面に沿ってスキャンバー１４を動作開始させ、イメージ取込回路３０を初期化する。スキャンバーが、スキャンされるページに沿って移動すると、取込回路は、バッファ記憶装置３２に得た情報をロードする。オプションとして、高品位化処理装置３４は、獲得されたイメージに、イメージの品位を改善する１つ又はそれ以上のイメージの高品位化のアルゴリズムを用いて操作する。コピー機において、高品位処理されたデジタルイメージは、その後、スキャン面のページのコピーを印刷するプリンタ３６へ向けられる。代替として、高品位化されたイメージは、他の機器へ、例えば、スキャンされたイメージを記憶するコンピュータディスク又はメモリ３８、マイクロフィルムのフィルム機器、又は同様なものへ、ファックス、記録、又はイメージの具体的な表現をするために向けられる。
【００１９】
一旦、スキャンが始まると、動作検知器２０は、スキャンされるページのモニターを継続する。動作検知器が、スキャン中に、スキャンされたページの動作を検知すると、動作検知回路は、停止信号を送信する。一つの実施形態において、駆動装置１６は、停止信号によりスキャンバーを初期位置又は休止位置に戻し、イメージ取込回路３０を空にするか部分的にスキャンされたイメージのバッファメモリ３２を消去する。一旦、スキャンバーが初期位置に戻り、動作検知器２０が、スキャンされるページは予め設定された時間間隔で、静止状態を保つと検知した場合には、他のトリガー信号が発信される。
【００２０】
この方法により、操作者が、コピー面１２上のコピーされる材料のページ又はシートを次々に置き、予め設定された時間間隔で静止状態を保つと、スキャン処理は、自動的に始まる。スキャン中にページが動くと、不適切にスキャンされたページは、自動的に再度スキャンされる。スキャンの実行とスキャンの停止とは、共に、手動によりストップ又はスタートボタが押されることなく、検知された動作、又はそれらがないことに基づきトリガーされる。これは、ぼやけたイメージの発生を避けるだけではなく、操作者に、ボタンを押すことなく暗黙の意思表示によりスキャンを停止する操作を可能とする。
【００２１】
図２を参照し、例示的な動作検知回路２６は、一対のフレーム記憶装置４０，４２を含む。クロック４４は、デジタルカメラ（図１の２２に示す）の時間を計測し、連続的なデジタルイメージは、フレーム記憶装置４０，４２に交互に送信される。減数回路４６は、差分されたイメージを生成するために、一対のデジタルイメージを相互に減数（引き算）する。ページが静止している場合は、取込まれたデジタルイメージは共に実質的に同一でなければならず、そのデジタルイメージは、実質的に空白でなければならない。空白がゼロの値に割り当てられると、総てのイメージ画素の合計は、ページが静止しているときには、ほとんどゼロとなる。一方、ページが動いた場合は、差分されたイメージが表示され、総ての画素の合計は大きな数となる。比較処理器又は回路４８は、しきい(ｔｈｒｅｓｈｏｕｌｄ)器５０を用いて差分されたイメージを比較する。差分されたイメージ又はその画素の合計がしきい値未満の場合には、この情報は、トリガー／停止の信号発生器５２に送信される。スキャナが、コピー処理中でなく、その比較によりページの静止状態を示す場合は、信号発生器５２は、トリガー信号を発生する。イメージ取込又は駆動回路が、信号発生器５２に、スキャン処理中であると示し、比較回路が、重要な動作の兆候を示す差分されたイメージを検知すると、信号発生器は、停止信号を発生する。多くの他の動作検知の項目もまた意図される。
【００２２】
図示した実施形態において、スキャンバー１４は、カメラ２２とスキャン面１２との間を動くが、スキャンバーは比較されるイメージから除去される。例えば、既知の又はモニターされたスキャンバー位置及びその幅は、スキャンバーに起因する減数されたイメージ又は差分されたイメージの位置をゼロとするために用いることができる。他の例として、カメラ２２のイメージ獲得頻度がスキャンバーの速度に比べて高い場合は、静止したページについての差分されたイメージは、スキャンバーの先端及び後端の縁の線を除きブランクとなる。イメージ取込中の動作のしきい値を、この一対の線よりも高くすることができる。代替として、スキャンバーの縁の線の位置は既知なので、差分されたイメージからフィルタをかけることも可能である。
【００２３】
オプションとして、動作検知回路２６は、トリガー信号を発生する前に、そのページが静止状態を保持しなければならない時間間隔を調整する回路６０を含む。図示した実施形態において、時間間隔調整回路は、カウンタ６２を含み、それは、同じ画面についての差分された画面の数を数え、選択された数に達したときに、信号発生器に信号を送る。操作者の入力装置又は操作制御器６４は、図示した実施形態において、トリガー信号を送るために信号発生器に信号を送る回数を調節することで、スキャンがトリガーされる前に、ページがどれだけ長く静止状態を保つかについて、操作者による調節を可能とする。
【００２４】
他の実施形態において、デジタルカメラ２２もまたコピーされるページのイメージを取込む。動作を検知している間、カメラ２２は、比較的低品位なイメージを生じる頻度でイメージを取るかもしれない。一旦、ページが静止していると判断されると、カメラ２２は、高品位イメージを達成すべく操作される。例えば、露出はより長くなる、照明レベルは増大される、といったような具合である。他の実施の形態として、複数のデジタルイメージは、デジタルカメラにより獲得され、印刷や保存のために最終イメージを生成するためにイメージ取込回路３０により、合算されるか、或いは結合される。
【００２５】
この同じシステムは、また写真に関連した適用が見つかるかもしれない。例えば、撮影者に集団の写真撮影を撮らせるのにタイマーをセットするよりも、デジタルカメラ２２に類似するデジタルカメラが動作検出回路２６を含み、受像するイメージにおけるしきい値を越える動作があったか否かを判断する。このしきい値は、撮影者の画面を横切る動きが、カメラのイメージの取込を妨げる撮影位置となるように設定される。動作検知回路２６は、被写体が十分に静止していると判断した場合に、イメージトリガー回路３０に対して、メモリの貯蔵部にデジタルイメージを取込むようにトリガーを送る。
【図面の簡単な説明】
【００２６】
【図１】本発明に係るスキャンシステムの概略説明図である。
【図２】図１のシステム用いられる、例示的な動作検知システムの概略説明図である。
【符号の説明】
【００２７】
１０  スキャナ、１２  スキャン面、１４  スキャンバー、１６  駆動装置、２０  動作検知システム、２２  デジタルカメラ、２４  イネーブルボタン、２６  動作検知回路、３０  イメージ取込回路、３２  バッファ記憶装置、３４  高品位化処理装置、３６  プリンタ、３８  メモリ、４０，４２  フレーム記憶装置、４４  クロック、４６  減数回路、４８  比較処理器、５０  しきい器、５２  信号発生器、６０  時間間隔調整回路、６２  カウンタ、６４  操作制御器。
【図１】
2007013972.tif 000003
【図２】
2007013972.tif 000004